(57)【要約】【課題】液晶表示装置の一層の小型化が可能な液晶モジュールを提供する。【解決手段】互いに分離構成された少なくとも二つの液晶表示装置１，２と、前記液晶表示装置１，２を駆動する半導体チップが搭載された第一フレキシブル基板３ａと、信号接続用の配線が形成された第二フレキシブル基板７ａとからなる液晶モジュールであって、一方の液晶表示装置１と前記第一フレキシブル基板３ａが電気的に接続されるとともに、他方の液晶表示装置２と前記第二フレキシブル基板７ａが電気的に接続され、前記第一フレキシブル基板３ａと前記第二フレキシブル基板７ａが電気的に接続されている。【選択図】  図１
2004287220.tif 000002
【特許請求の範囲】
【請求項１】
互いに分離構成された少なくとも二つの液晶表示装置と、前記液晶表示装置を駆動する半導体チップが搭載された第一フレキシブル基板と、信号接続用の配線が形成された第二フレキシブル基板とからなる液晶モジュールであって、一方の液晶表示装置と前記第一フレキシブル基板が電気的に接続されるとともに、他方の液晶表示装置と前記第二フレキシブル基板が電気的に接続され、前記第一フレキシブル基板と前記第二フレキシブル基板が電気的に接続されていることを特徴とする液晶モジュール。
【請求項２】
前記第一フレキシブル基板は配線が片面に形成された片面配線基板で構成され、前記第二フレキシブル基板は配線が両面に形成された両面配線基盤で構成され、前記第二フレキシブル基板の一方の面に前記第一フレキシブル基板が電気的に接続され、他方の面に前記他方の液晶表示装置が電気的に接続されていることを特徴とする請求項１記載の液晶モジュール。
【請求項３】
前記第一フレキシブル基板及び前記第二フレキシブル基板は共に配線が片面に形成された片面配線基板で構成され、前記第二フレキシブル基板と電気的に接続された前記他方の液晶表示装置は両面表示可能なパネルで構成されていることを特徴とする請求項１記載の液晶モジュール。
【請求項４】
前記第一フレキシブル基板は配線が両面に形成された両面配線基板で構成され、前記第二フレキシブル基板は配線が片面に形成された片面配線基盤で構成され、電気第一フレキシブル基板の一方の面に前記一方の液晶表示装置が電気的に接続され、他方の面に前記第二フレキシブル基板が電気的に接続されていることを特徴とする請求項１記載の液晶モジュール。
【請求項５】
前記第一フレキシブル基板の一端縁部に前記一方の液晶表示装置と電気的に接続される液晶表示装置接続部が設けられ、前記第一フレキシブル基板の他端縁部に前記半導体チップへの電源供給ラインが接続される電源接続部が設けられていることを特徴とする請求項１から４のいずれかに記載の液晶モジュール。
【請求項６】
互いに分離構成された少なくとも二つの液晶表示装置と、前記液晶表示装置を駆動する半導体チップが搭載された第一フレキシブル基板とからなる液晶モジュールであって、一方の液晶表示装置と他方の液晶表示装置とが前記第一フレキシブル基板を挟んで振り分け配置され、夫々の端縁部で電気的に接続されるとともに、前記第一フレキシブル基板の前記端縁部のいずれかに、前記半導体チップへの電源供給ラインが電気的に接続される電源接続部が設けられていることを特徴とする液晶モジュール。
【発明の詳細な説明】
【０００１】
【発明の属する技術分野】
本発明は、液晶表示装置を駆動させる半導体チップや受動部品などが搭載されたフレキシブル基板（「テープキャリア」ともいう）の構造及び液晶表示装置を含めた液晶モジュールに関する。
【０００２】
【従来技術】
昨今の携帯電話の急速な普及に伴い、その機能面においても高付加価値を謳い急速な進歩を遂げている。動画再生機能やインターネット接続機能などのソフト面に加えて、カメラ機能等のハード面の機能も目覚しい進歩を遂げている。その中において、主として従来の電話機能やインターネット機能を使用する際のメイン液晶表示装置のみならず、メールや電話などの着信案内表示、通信状態表示、電池残量表示等の補助的な用途として使用するサブ液晶表示装置を兼ね備えた携帯電話が主流となっている。
【０００３】
従来、上述したメイン液晶表示装置及びサブ液晶表示装置は別体で構成され、夫々固有の液晶ドライバが搭載された各別のフレキシブル基板に電気的に接続された液晶モジュールとして、一つの筐体内に背面が相対するように実装され、夫々独立して駆動表示されていた。
【０００４】
【発明が解決しようとする課題】
この方式では、メイン液晶表示装置を駆動させるための液晶ドライバとサブ液晶表示装置を駆動させるための液晶ドライバというように異なる二つの液晶ドライバが必要となる。通常、このメイン液晶表示装置とサブ液晶表示装置は背中合わせの状態で携帯電話の筐体に収納される為、その薄型化に限界が生じる。
【０００５】
この改良として、図８及び図９に示すように、二つの液晶ドライバの機能を一つの液晶ドライバにまとめて構成して、当該液晶ドライバ４が搭載されたフレキシブル基板３ａの端部とメイン液晶表示装置１とを電気的に接続し、メイン液晶表示装置１の当該接続部とは反対側において、メイン液晶表示装置１とサブ液晶表示装置２とを配線のみ形成されたフレキシブル基板７で電気的に接続することで、部品点数の減少と薄型化を狙った液晶モジュールや、前記配線のみ形成されたフレキシブル基板７に代えて、共通の液晶ガラス基板にメイン液晶表示装置とサブ液晶表示装置とを備え、当該ガラス基板に配線を形成した液晶モジュールが提案されていた。尚、ここで、前記液晶ドライバが搭載されたフレキシブル基板３ａの、前記メイン液晶表示装置１との接続端部とは反対側の端部に形成された端子部（図示せず）から電源が供給されるように構成されている。
【０００６】
【特許文献１】
特開２００１−２１５４７５号公報
【０００７】
【発明が解決しようとする課題】
上述した従来の液晶モジュールでは、セグメント配線５ａはメイン液晶表示装置１とサブ液晶表示装置２間で共用化されているものの、コモン配線５ｂが共用化されていないため、共通の液晶ドライバから出力されたサブ液晶表示装置２のコモン配線がメイン液晶表示装置１の下ガラス１ｂ上の両端部に形成され、メイン液晶表示装置１とサブ液晶表示装置２とを接続するフレキシブル基板７を経由してサブ液晶表示装置２へと接続される。
【０００８】
従って、メイン液晶表示装置の下ガラスの両端部においてサブ液晶表示装置のコモン配線を形成する縁部領域が必要となる為、メイン液晶表示装置の一層の小型化を制約するという問題があった。
【０００９】
本発明の目的は、上述した従来の問題点に鑑み、液晶表示装置の一層の小型化が可能な液晶モジュールを提供する点にある。
【００１０】
【課題を解決するための手段】
本発明による液晶表示装置の特徴構成は、互いに分離構成された少なくとも二つの液晶表示装置と、前記液晶表示装置を駆動する半導体チップが搭載された第一フレキシブル基板と、信号接続用の配線が形成された第二フレキシブル基板とからなる液晶モジュールであって、一方の液晶表示装置と前記第一フレキシブル基板が電気的に接続されるとともに、他方の液晶表示装置と前記第二フレキシブル基板が電気的に接続され、前記第一フレキシブル基板と前記第二フレキシブル基板が電気的に接続されている点にある。
【００１１】
つまり、半導体チップが搭載されている第一フレキシブル基板と他方の液晶表示装置が接続されている第二フレキシブル基板が同一方向に直接接続されるので、他方の液晶表示装置用のコモン配線を一方の液晶表示装置の下ガラスの両端部に形成する必要が無くなるので、一方の液晶表示装置の縁部領域を狭くして一層の小型化を達成できるのである。
【００１２】
さらに、前記第一フレキシブル基板の一端縁部に前記一方の液晶表示装置と電気的に接続される液晶表示装置接続部が設けられ、前記第一フレキシブル基板の他端縁部に前記半導体チップへの電源供給ラインが電気的に接続される電源接続部が設けられていることが好ましく、この構成により、筐体の両面から表示部が目視可能となるように携帯電話に実装する際には、第二フレキシブル基板を断面Ｕ字状に屈曲させることにより、第一フレキシブル基板の前記一方の液晶表示装置との接続部とは反対側の端部に形成した端子部を介して電源入力が可能になり、限られた実装領域内でコンパクトに配線ができるようになるのである。
【００１３】
【発明の実施の形態】
以下、本発明による液晶モジュールの第一の実施形態を図面に基づいて説明する。
【００１４】
図１及び図２に示すように、液晶モジュールは、上部ガラス基板１ａ，２ａと下部ガラス基板１ｂ，２ｂとの間に夫々液晶が封入されたメイン液晶表示装置１及びサブ液晶表示装置２と、それらを駆動させる共通の半導体チップとしての液晶ドライバ４が搭載された第一フレキシブル基板としての片面配線フレキシブル基板３ａと、両面に信号伝達用の配線が形成された第二フレキシブル基板としての両面配線フレキシブル基板７ａとを備えてなり、片面配線フレキシブル基板３ａの一方の端縁部において、液晶ドライバ４から引き出されたメイン液晶表示装置１の駆動用のコモン配線５ｂとセグメント配線５ａとメイン液晶表示装置１の下部ガラス基板１ａ上に形成された配線パターンとが、ＡＣＦなどの導電性接着剤８で電気的に直接接続され、前記片面配線フレキシブル基板３ａとサブ液晶表示装置２とが、両面配線フレキシブル基板７ａを介して電気的に接続されている。
【００１５】
両面配線フレキシブル基板７ａのベース基材１２の両面に形成された配線１１が、片面配線フレキシブル基板３ａ上の液晶ドライバ４から引き出されたサブ液晶表示装置２の駆動用のコモン配線６ｂとセグメント配線６ａと、液晶ドライバ４の周辺部位で導電性接着剤８によって電気的に接続されている。両面配線フレキシブル基板７ａの一方の面に形成されたコモン配線６ｂ、セグメント配線６ａは、スルーホール若しくはビアと呼ばれるベース基材を貫く貫通孔１５によって他方の面に形成された配線に電気的に接続されるよう構成されており、液晶ドライバ４から引き出されたコモン配線６ｂ、セグメント配線６ａは、液晶ドライバ４からみてメイン液晶表示装置１とは反対側に配置されたサブ液晶表示装置２の下部ガラス基板２ｂ上に形成された配線パターンとその端縁部に形成された接続部１４で導電性接着剤８によって電気的に接続されている。
【００１６】
以上の構成によって、一つの共通の液晶ドライバ４によってメイン液晶表示装置１及びサブ液晶表示装置２の両画面を駆動させることができ、メイン液晶表示装置１の下ガラスに、サブ液晶表示装置２の為のコモン配線を形成する必要が無くなりパネルの小型化が可能となる。しかも、図３に示すように、筐体の両面から表示部が目視可能となるように携帯電話に実装する際には、両面配線フレキシブル基板７ａを屈曲させることにより、片面配線フレキシブル基板３ａの前記メイン液晶表示装置１との接続部とは反対側の端部に形成した電源端子部１３を介して電源入力が可能に構成してあり、限られた実装領域内でコンパクトな配線が実現できるようになる。尚、図中、１０はソルダーレジスト、１２はベースフィルムを示し、以下の複数の実施形態において、同一の部位は同一の番号で示される。
【００１７】
即ち、上述の実施形態では、互いに分離構成された少なくとも二つの液晶表示装置と、前記液晶表示装置を駆動する半導体チップが搭載された第一フレキシブル基板と、信号接続用の配線が形成された第二フレキシブル基板とからなり、一方の液晶表示装置と前記第一フレキシブル基板が電気的に接続されるとともに、他方の液晶表示装置と前記第二フレキシブル基板が電気的に接続され、前記第一フレキシブル基板と前記第二フレキシブル基板が電気的に接続される液晶モジュールであって、前記第一フレキシブル基板は配線が片面に形成された片面配線基板で構成され、前記第二フレキシブル基板は配線が両面に形成された両面配線基盤で構成され、電気第二フレキシブル基板の一方の面に前記第一フレキシブル基板が電気的に接続され、他方の面に前記他方の液晶表示装置が電気的に接続されている液晶モジュールが構成される。
【００１８】
以下、本発明による液晶モジュールの第二の実施形態を図面に基づいて説明する。
【００１９】
図４に示すように、メイン液晶表示装置１及びサブ液晶表示装置２を共通に駆動させる液晶ドライバ４が搭載された第一フレキシブル基板としての片面配線フレキシブル基板３ａの一端縁部で、ＡＣＦなどの導電性接着剤８によりメイン液晶表示装置１が電気的に接続され、片面配線フレキシブル基板３ａとサブ液晶表示装置２とが、片面に配線が形成された第二フレキシブル基板としての片面配線フレキシブル基板７ｂを介して電気的に接続されている。
【００２０】
片面配線フレキシブル基板７ｂのベースフィルム１２の片面に形成された配線１１が、片面配線フレキシブル基板３ａ上の液晶ドライバ４から引き出されたサブ液晶表示装置２の駆動用のコモン配線及びセグメント配線と、液晶ドライバ４の周辺部位で導電性接着剤８によって電気的に接続され、さらに、液晶ドライバ４からみてメイン液晶表示装置１とは反対側に配置されたサブ液晶表示装置２の下部ガラス基板２ｂ上に形成された配線パターンとその端縁部に形成された接続部１４で導電性接着剤８によって電気的に接続されている。本実施形態では、第一実施形態と同様に片面配線フレキシブル基板７ｂを屈曲して携帯電話などの筐体に実装しても、従来の片面のみの表示しか出来ない液晶表示装置では表示画面が内側に向いて外部から表示を目視できない為、本実施形態によるサブ液晶表示装置２は両面表示が可能な液晶表示装置が用いられる。
【００２１】
第一実施形態と同様、片面配線フレキシブル基板７ｂと片面配線フレキシブル基板３ａは、半導体チップの実装位置の右側の接続部で接続されているので、片面配線フレキシブル基板７ｂを折り曲げることにより、片面配線フレキシブル基板３ａの左側端部に形成した端子部を介して電源入力が可能に構成してある。
【００２２】
即ち、互いに分離構成された少なくとも二つの液晶表示装置と、前記液晶表示装置を駆動する半導体チップが搭載された第一フレキシブル基板と、信号接続用の配線が形成された第二フレキシブル基板とからなり、一方の液晶表示装置と前記第一フレキシブル基板が電気的に接続されるとともに、他方の液晶表示装置と前記第二フレキシブル基板が電気的に接続され、前記第一フレキシブル基板と前記第二フレキシブル基板が電気的に接続される液晶モジュールであって、前記第一フレキシブル基板及び前記第二フレキシブル基板は共に配線が片面に形成された片面配線基板で構成され、前記第二フレキシブル基板と電気的に接続された前記他方の液晶表示装置は両面表示可能なパネルで構成されている液晶モジュールが構成される。
【００２３】
以下、本発明による液晶モジュールの第三の実施形態を図面に基づいて説明する。
【００２４】
図５に示すように、メイン液晶表示装置１及びサブ液晶表示装置２を共通に駆動させる液晶ドライバ４が搭載された第一フレキシブル基板としての片面配線フレキシブル基板３ａとメイン液晶表示装置１が、ＡＣＦなどの導電性接着剤８で電気的に直接接続され、前記片面配線フレキシブル基板３ａとサブ液晶表示装置２とが、片面に配線が形成された第二フレキシブル基板としての二枚のフレキシブル基板７ｂ，７ｃを介して電気的に接続されている。
【００２５】
片面配線フレキシブル基板７ｂのベース基材１２の片面に形成された配線１１が、片面配線フレキシブル基板３ａ上の液晶ドライバ４から引き出されたサブ液晶表示装置２の駆動用のコモン配線とセグメント配線と、導電性接着剤８によって電気的に接続されている。本実施形態でも、第一実施形態と同様に片面配線フレキシブル基板７ｂなどを屈曲して携帯電話などの筐体に実装可能に構成される。この場合には、第二実施形態と異なり、サブ液晶表示装置２は片面表示タイプが使用できる。
【００２６】
即ち、互いに分離構成された少なくとも二つの液晶表示装置と、前記液晶表示装置を駆動する半導体チップが搭載された第一フレキシブル基板と、信号接続用の配線が形成された第二フレキシブル基板とからなり、一方の液晶表示装置と前記第一フレキシブル基板が電気的に接続されるとともに、他方の液晶表示装置と前記第二フレキシブル基板が電気的に接続され、前記第一フレキシブル基板と前記第二フレキシブル基板が電気的に接続される液晶モジュールであって、前記第一フレキシブル基板及び前記第二フレキシブル基板は共に配線が片面に形成された片面配線基板で構成されている液晶モジュールが構成される。
【００２７】
以下、本発明による液晶モジュールの第四の実施形態を図面に基づいて説明する。
図６に示すように、メイン液晶表示装置１及びサブ液晶表示装置２を共通に駆動させる液晶ドライバ４が搭載された第一フレキシブル基板としての両面配線フレキシブル基板３ｂとメイン液晶表示装置１が、ＡＣＦなどの導電性接着剤８で電気的に直接接続され、前記両面配線フレキシブル基板３ｂとサブ液晶表示装置２とが、片面に配線が形成された第二フレキシブル基板としての片面配線フレキシブル基板７ｂを介して電気的に接続されている。
【００２８】
両面配線フレキシブル基板３ｂの両面に形成された配線は、スルーホール若しくはビアと呼ばれる貫通孔１５を介して電気的に接続される。液晶ドライバ４から引き出されたサブ液晶表示装置２の駆動用のコモン配線とセグメント配線は前記貫通孔１５によって裏面に引き出され、片面配線フレキシブル基板７ｂを介してサブ液晶表示装置２と電気的に接続される。
【００２９】
即ち、互いに分離構成された少なくとも二つの液晶表示装置と、前記液晶表示装置を駆動する半導体チップが搭載された第一フレキシブル基板と、信号接続用の配線が形成された第二フレキシブル基板とからなり、一方の液晶表示装置と前記第一フレキシブル基板が電気的に接続されるとともに、他方の液晶表示装置と前記第二フレキシブル基板が電気的に接続され、前記第一フレキシブル基板と前記第二フレキシブル基板が電気的に接続される液晶モジュールであって、前記第一フレキシブル基板は配線が両面に形成された両面配線基板で構成され、前記第二フレキシブル基板は配線が片面に形成された片面配線基盤で構成され、電気第一フレキシブル基板の一方の面に前記一方の液晶表示装置が電気的に接続され、他方の面に前記第二フレキシブル基板が電気的に接続されている液晶モジュールが構成される。
【００３０】
上述したいずれの実施形態においても、筐体の両面部で表示する必要のある場合に、限られた実装領域内でコンパクトな配線を実現するために、第一フレキシブル基板の一端縁部に一方の液晶表示装置と電気的に接続される液晶表示装置接続部が設けられ、前記第一フレキシブル基板の他端縁部に前記半導体チップへの電源供給ラインが電気的に接続される電源接続部が設けられるものを説明したが、図７に示すように、前記第一フレキシブル基板３ａの他端縁部を幅方向に分割するように切込み形成し、分割された一方を電源接続部１３として構成し、分割された他方を第二フレキシブル基板７ａとの接続部１４に構成することができる。これにより、上述した図６に示す実施形態で、第二フレキシブル基板７ｂを断面視Ｕ字状に折り曲げて、筐体の両面から視認可能に実装する場合においても容易に電源接続部を構成することができるのである。
【００３１】
同様に、互いに分離構成された少なくとも二つの液晶表示装置と、前記液晶表示装置を駆動する半導体チップが搭載された第一フレキシブル基板とからなる液晶モジュールを構成する場合に、一方の液晶表示装置と他方の液晶表示装置とを前記第一フレキシブル基板を挟んで振り分け配置して、夫々の端縁部で電気的に接続するとともに、前記第一フレキシブル基板の前記端縁部のいずれかを幅方向に分割するように切込み形成し、分割された一方を電源接続部として構成し、分割された他方を液晶表示装置の接続部に構成することで、同様に、第一フレキシブル基板を断面視Ｕ字状に折り曲げて、筐体の両面から視認可能に実装する場合においても容易に電源接続部を構成することができる。
【００３２】
上述したいずれの実施形態においても、サブ液晶表示装置２を両面表示可能なパネルで構成することができ、その場合には、上述したフレキシブル基板の折り曲げ実装が不要となるので、筐体の両面から視認可能な電子装置を薄型に構成することができる。
【００３３】
さらに、上述したいずれの実施形態においても、第一液晶表示装置をサブ液晶表示装置として、第二液晶表示装置をメイン液晶表示装置として構成することも当然に可能である。
【００３４】
【発明の効果】
本発明によれば、液晶表示装置の一層の小型化が可能な液晶モジュールを提供することが可能となり、サブ液晶表示装置を持つ携帯電話において、メイン液晶表示装置との液晶ドライバを共用しながら一層の薄型化・小型化を達成することが可能となる。
【図面の簡単な説明】
【図１】本発明による液晶モジュールを示す説明図
【図２】本発明による液晶モジュールの断面構造を示す説明図
【図３】本発明による液晶モジュールの断面構造を示す説明図
【図４】別実施形態を示し、液晶モジュールの断面構造を示す説明図
【図５】別実施形態を示し、液晶モジュールの断面構造を示す説明図
【図６】別実施形態を示し、液晶モジュールの断面構造を示す説明図
【図７】別実施形態を示し、液晶モジュールを示す説明図
【図８】従来の液晶モジュールを示す説明図
【図９】従来の液晶モジュールの断面構造を示す説明図
【符号の説明】
１ａ；メイン液晶表示装置の上ガラス
１ｂ；メイン液晶表示装置の下ガラス
２ａ；サブ液晶表示装置の上ガラス
２ｂ；サブ液晶表示装置の下ガラス
３ａ；液晶ドライバが搭載されるメイン液晶駆動用の片面配線フレキシブル基板
３ｂ；液晶ドライバが搭載されるメイン液晶駆動用の両面配線フレキシブル基板
４；半導体チップ（液晶ドライバ）
５ａ；液晶ドライバから引き出されるセグメント配線
５ｂ；液晶ドライバから引き出されるコモン配線
６ａ；サブ液晶表示装置駆動用のセグメント配線
６ｂ；サブ液晶表示装置駆動用のコモン配線
７ａ；両面配線フレキシブル基板
７ｂ；片面配線フレキシブル基板
７ｃ；片面配線フレキシブル基板２
８；導電性接着剤
９；封止樹脂
１０；ソルダーレジスト
１１；配線
１２；ベースフィルム
１３；電源端子部
１４；接続部
１５；貫通孔
【図１】
2004287220.tif 000003
【図２】
2004287220.tif 000004
【図３】
2004287220.tif 000005
【図４】
2004287220.tif 000006
【図５】
2004287220.tif 000007
【図６】
2004287220.tif 000008
【図７】
2004287220.tif 000009
【図８】
2004287220.tif 000010
【図９】
2004287220.tif 000011